(57)【要約】【課題】神棚用灯籠において、容易に点灯／消灯できる構成を実現しつつ、その構成による意匠性の低下を抑制する。【解決手段】電子灯籠１０は、基礎１１、竿１２及び火袋１４を有しており、火袋１４の内部空間には、点灯部２１及び受信部３７が収納されている。点灯部２１は、基板３１と、その基板３１に搭載されたＬＥＤ３２，３３とを有している。ＬＥＤ３２，３３は基板３１の上面に取り付けられており、上側ＬＥＤ３２の下端部は下側ＬＥＤ３３の上端部よりも高い位置に配置されている。下側ＬＥＤ３３はゆらぎ状態で発光する一方で、上側ＬＥＤ３２は非ゆらぎ状態で発光する。受信部３７は、ＬＥＤ３２，３３と共に基板３１の上面に取り付けられている。受信部３７は、操作装置Ｓから出力される無線の遠隔信号を受信可能になっており、受信部３７が遠隔信号を受信することでＬＥＤ３２，３３の点灯／消灯が行われる。【選択図】      図２
2015022962.tif 000002
【特許請求の範囲】
【請求項１】
基礎、竿、及び火袋を有しており、神棚に設置される神棚用灯籠であって、
前記火袋の内部空間には、
通電により点灯する点灯部と、
所定の操作装置から出力された無線の遠隔信号を受信する受信部と、
が収納されており、
前記点灯部は、前記遠隔信号を前記受信部が受信することで点灯及び消灯するものであることを特徴とする神棚用灯籠。
【請求項２】
前記点灯部は、基板と、該基板に取り付けられた発光体とを有し、通電により前記発光体が発光することで点灯するものであり、
前記受信部は、前記基板に取り付けられていることを特徴とする請求項１に記載の神棚用灯籠。
【請求項３】
前記基板は、前記火袋の内部空間において、当該基板の板面を上下に向けて設けられており、
前記基板の上面には、前記受信部と該受信部よりも高い位置に配置された前記発光体とが取り付けられており、下面には、当該基板に電力を供給するための電気配線が接続されていることを特徴とする請求項２に記載の神棚用灯籠。
【請求項４】
前記竿には、前記火袋の内部空間に通じ且つ前記電気配線が通されている配線通路が設けられており、
前記基板は、前記発光体の光が前記配線通路に進入することを規制する状態で該配線通路の上方に設けられていることを特徴とする請求項３に記載の神棚用灯籠。
【請求項５】
前記火袋は、前記竿により下方から支持された中台の上に載せられており、
前記基板は、当該基板の下面が前記中台の上面に対向した状態で、前記配線通路を上方から覆っており、前記中台の上面から上方に向けて突出した突出部の上に載せられていることを特徴とする請求項４に記載の神棚用灯籠。
【請求項６】
前記点灯部は、前記発光体として、上側発光体と、下端部が前記上側発光体の下端部よりも低い位置に配置された下側発光体とを有しており、
前記基板は、前記下側発光体を炎のゆらぎを模したゆらぎ状態で発光させる一方で、前記上側発光体を炎のゆらぎを模さない非ゆらぎ状態で発光させるものであることを特徴とする請求項２乃至５のいずれか１項に記載の神棚用灯籠。
【請求項７】
前記基礎は、
前記点灯部への通電が可能な電源電池を保持する電池保持部と、
前記点灯部への通電及び停止を切り替えるスイッチを保持するスイッチ保持部と、
を有しており、
前記電池保持部は、前記スイッチ保持部を挟んで一対設けられていることを特徴とする請求項１乃至６のいずれか１項に記載の神棚用灯籠。
【請求項８】
前記スイッチ保持部は、前記基礎の側面部に設けられた貫通孔を有しており、
前記スイッチを前記貫通孔に挿通させた状態で保持することが可能であるとともに、外部電源から前記点灯部への電力供給を行うための外部配線を前記貫通孔に挿通させることが可能であることを特徴とする請求項７に記載の神棚用灯籠。
【発明の詳細な説明】
【技術分野】
【０００１】
本発明は、神棚用灯籠に関する。
【背景技術】
【０００２】
神棚に設置される神棚用灯籠として、火袋の明かりを火で灯すのではなく、電灯で灯す電子灯籠がある。電子灯籠においては、火袋の内部空間に電灯が設置されており、商用電源等の外部電源や電源電池等の内部電源から電灯に電力が供給される。例えば、電子灯籠が社殿の両隣に配置され、外部電源からの給電を行う電気配線が各電子灯籠の電灯に接続されている、という構成がある（例えば特許文献１参照）。この構成では、電気配線が、外部電源に接続された電源線と電灯に接続された支線とを有しており、電源線が有するコネクタと支線が有するプラグとが接続されることで、電灯への通電が行われて神殿用灯篭に明かりが灯される。コネクタとプラグとの接続部分は、目立たないように社殿の内部に収納されている。
【先行技術文献】
【特許文献】
【０００３】
【特許文献１】実公平６−４７８０号公報
【発明の概要】
【発明が解決しようとする課題】
【０００４】
しかしながら、電源線と支線とが接続されることで神棚用灯籠に明かりが灯される構成では、灯籠を点灯／消灯させるたびにコネクタとプラグとの着脱作業を行うことになる。ここで、神棚は天井近くの位置など人の手が届きにくい高さ位置に設けられていることが多いため、コネクタとプラグとの着脱作業を行うには脚立等を使用する必要が生じ、灯籠を点灯／消灯させるたびに脚立等を使用するのでは作業負担が大きくなってしまう。また、高い位置で作業することにより安全性が低下することが懸念される。
【０００５】
ちなみに、神棚用灯籠にスイッチが取り付けられ、そのスイッチが操作されることで神棚用灯籠の点灯／消灯が行われる構成が考えられるが、この構成でも、灯籠の点灯／消灯を行うには作業者が灯籠を手に取ってスイッチを操作する必要があるため、灯籠を点灯／消灯させるたびに脚立等を使用することには変わりがない。
【０００６】
本発明は、上記事情に鑑みてなされたものであり、神棚用灯籠において、容易に点灯／消灯できる構成を実現しつつ、その構成による意匠性の低下を抑制することを主たる目的とするものである。
【課題を解決するための手段】
【０００７】
以下、上記課題を解決するのに有効な手段等につき、必要に応じて作用、効果等を示しつつ説明する。
【０００８】
第１の発明の神棚用灯籠は、基礎、竿、及び火袋を有しており、神棚に設置される神棚用灯籠であって、前記火袋の内部空間には、通電により点灯する点灯部と、所定の操作装置から出力された遠隔信号を受信する受信部と、が収納されており、前記点灯部は、前記遠隔信号を前記受信部が受信することで前記操作装置により遠隔操作されるものであることを特徴とする。
【０００９】
第１の発明によれば、神棚用灯籠を操作装置により遠隔操作することが可能であるため、脚立等を使用して高い場所での作業を行わなくても、灯籠を容易に点灯／消灯させることができる。
【００１０】
ここで、神棚は天井近くの位置など人の目線よりも高い位置に設けられていることが多く、人が操作装置を所持している場合には、操作装置が斜め上方に向けて遠隔信号を出力することになるため、その遠隔信号が神棚の棚板により遮られて神棚用灯籠の受信部に届かないことが懸念される。これに対して、神棚において神棚用灯籠は、斜め下方からでも火袋が見える位置に設置されると考えられるため、受信部が火袋内に設置されていることで、操作信号からの遠隔信号が神棚の棚板により遮られにくい位置に受信部を配置できることになる。しかも、受信部を火袋の上方位置（例えば笠）に設置した場合に比べて、受信部を目立ちにくい状態で設置できるため、受信部により神棚用灯籠の見栄えを損なうということも抑制できる。
【００１１】
以上により、神棚用灯籠において、容易に点灯／消灯できる構成を実現しつつ、その構成による意匠性の低下を抑制することができる。
【００１２】
第２の発明では、第１の発明において、前記点灯部は、基板と、該基板に取り付けられた発光体とを有し、通電により前記発光体が発光することで点灯するものであり、前記受信部は、前記基板に取り付けられている。
【００１３】
第２の発明によれば、点灯部の基板に受信部が取り付けられているため、発光体及び受信部を有する電気回路を簡易に実現できる。また、受信部の取り付け対象を専用部品として火袋の内部空間に設置する必要がないため、受信部を火袋内に設置する上で、コスト負担の増加を抑制できる。さらに、火袋内に収納する部品数を極力少なくできるため、受信部や専用部品等の影が火袋の側面部に映ってしまうということを回避しやすくなる。
【００１４】
第３の発明では、第２の発明において、前記基板は、前記火袋の内部空間において、当該基板の板面を上下に向けて設けられており、前記基板の上面には、前記発光体と該発光体よりも低い位置に配置された前記受信部とが取り付けられており、下面には、当該基板に電力を供給するための電気配線が接続されている。
【００１５】
第３の発明によれば、火袋内において受信部が発光体よりも低い位置に配置されているため、神棚に向けて斜め上方に送信された遠隔信号が発光体により遮られて受信部に届きにくくなるということを抑制できる。また、電気配線が基板の下面に接続されているため、基板の上側に電気配線が露出しにくくなり、電気配線の影が火袋の側面部に映ってしまうということを抑制できる。
【００１６】
第４の発明では、第３の発明において、前記竿には、前記火袋の内部空間に通じ且つ前記電気配線が通されている配線通路が設けられており、前記基板は、前記発光体の光が前記配線通路に進入することを規制する状態で該配線通路の上方に設けられている。
【００１７】
竿に配線通路が設けられている構成では、発光体の光が配線通路に進入して、竿と基礎との接続部分など火袋以外から外部に漏れることが懸念される。これに対して、第４の発明によれば、発光体の光が配線通路に進入することが基板により規制されているため、その光が火袋以外から外部に漏れることを抑制できる。しかも、配線通路への光の進入を規制するための専用部材を設ける必要がないため、コスト負担を低減できる。
【００１８】
第５の発明では、第４の発明において、前記火袋は、前記竿により下方から支持された中台の上に載せられており、前記基板は、当該基板の下面が前記中台の上面に対向した状態で、前記配線通路を上方から覆っており、前記中台の上面から上方に向けて突出した突出部の上に載せられている。
【００１９】
第５の発明によれば、基板が中台の上面から上方に離間しているため、例えば基板が中台の上面に重ねられている構成とは異なり、基板が有する点灯回路等が中台との接触により損傷するということを抑制できる。つまり、基板を火袋の内部空間に適正な状態で設置することができる。
【００２０】
第６の発明では、第２乃至第５のいずれかの発明において、前記点灯部は、前記発光体として、上側発光体と、下端部が前記上側発光体の下端部よりも低い位置に配置された下側発光体とを有しており、前記基板は、前記下側発光体を炎のゆらぎを模したゆらぎ状態で発光させる一方で、前記上側発光体を炎のゆらぎを模さない非ゆらぎ状態で発光させるものである。
【００２１】
第６の発明によれば、ゆらぎ状態で発光する発光体（下側発光体）が点灯部に含まれているため、本物の炎が火袋内で点灯している雰囲気を作り出すことができる。しかも、点灯部には、ゆらぎ状態にならない発光体（上側発光体）も含まれているため、全ての発光体がゆらぎ状態で発光する構成とは異なり、各発光体の発光が弱くなったタイミングが一致して点灯部が極端に暗くなるという懸念がない。換言すれば、点灯部について最低限の明るさを常に確保することができる。
【００２２】
しかも、上側発光体がゆらぎ状態で発光し、下側発光体が非ゆらぎ状態で発光するため、神棚に設置されることでユーザから見上げられることが多い神棚用灯籠において、斜め下方からならどの向きから見ても上側発光体の後に隠れない下側発光体により炎のゆらぎを模すことができる。したがって、点灯部について最低限の明るさを常に確保した上で、本物の炎の雰囲気をユーザが感じやすい構成を実現できる。
【００２３】
第７の発明では、第１乃至第６のいずれかの発明において、前記基礎は、前記点灯部への通電が可能な電源電池を保持する電池保持部と、前記点灯部への通電及び停止を切り替えるスイッチを保持するスイッチ保持部と、を有しており、前記電池保持部は、前記スイッチ保持部を挟んで一対設けられている。
【００２４】
第７の発明によれば、電源電池が基礎という神棚用灯籠の最下部に配置されていることで、神棚用灯籠の安定性を高めることができる。また、安定性を高めるための重り部材として電源電池を利用するため、重り部材として専用部材を用いる必要がなく、電源電池及び専用部材の両方を用いる構成に比べてコスト負担を低減できる。しかも、電源電池がスイッチを挟んで一対設けられることで、神棚用灯籠が電源電池の並び方向に向けて倒れるということをより確実に抑制できる。
【００２５】
また、火袋内に受信部が収納されていることからしても、神棚用灯籠は神棚において火袋が下方から見える位置、つまり、神棚において手前側の位置に配置されることが好ましい。この場合、神棚用灯籠が倒れることは神棚からの神棚用灯籠の落下に直結しやすいため、神棚用灯籠の損傷防止の観点及び安全上の観点の両方からして神棚用灯籠は倒れにくい構成になっていることが好ましい。特に、竿を有している神棚用灯籠においては、竿を有していない神棚用灯籠に比べて幅寸法（又は奥行き寸法）に対する高さ寸法の比率が大きいため、安定性を高めることが好ましい。
【００２６】
第８の発明では、第７の発明において、前記スイッチ保持部は、前記基礎の側面部に設けられた貫通孔を有しており、前記スイッチを前記貫通孔に挿通させた状態で保持することが可能であるとともに、外部電源から前記点灯部への電力供給を行うための外部配線を前記貫通孔に挿通させることが可能である。
【００２７】
第８の発明によれば、点灯部に外部配線を接続することで神棚用灯籠を外部電源により点灯させる場合、スイッチ保持部の貫通孔を利用して外部配線を灯籠内部に引き込むことができる。この場合でも、電池保持部に電源電池や重り部材を装着しておくことで、神棚用灯籠の安定性が低下することを抑制できる。
【図面の簡単な説明】
【００２８】
【図１】電子灯籠の構成を示す斜視図
【図２】電子灯籠の縦断面図
【図３】電子灯籠の分解斜視図
【発明を実施するための形態】
【００２９】
以下、本発明を具体化した一実施形態について図面を参照しつつ説明する。本実施形態では、本発明の神棚用灯籠を神棚に設置される電子灯籠として具体化している。神棚は、天井近くの位置など人の目線よりも高い位置に設けられており、電子灯籠は、芯に炎が灯されるローソク等に代えて、灯明として神仏に供えられるものである。図１は電子灯籠１０の構成を示す斜視図、図２は電子灯籠１０の縦断面図、図３は電子灯籠１０の分解斜視図である。なお、図２においては、（ａ）に切断線が電子灯籠１０の奥行き方向に延びた図を示し、（ｂ）に切断線が電子灯籠１０の幅方向に延びた図を示す。図３においては、笠１５、電気配線２３の図示を省略している。
【００３０】
図１に示すように、電子灯籠１０は、神棚の棚板Ｋなどの上に載せられる基礎１１と、基礎１１から上方に向けて延びている竿１２と、竿１２の上に載せられた中台１３と、中台１３の上に載せられ且つ明かりが灯される火袋１４と、火袋１４の屋根となる笠１５とを有している。これら基礎１１、竿１２、中台１３、火袋１４及び笠１５は、合成樹脂材料などにより構成部材として形成されており、これら構成部材が組み合わされることで電子灯籠１０が形成されている。ちなみに、竿１２を有している灯籠を春日型と称することができる。また、棚板Ｋは木材により形成されている。
【００３１】
なお、電子灯籠１０においては、笠１５の棟部分が延びている方向が前後方向（奥行き方向）とされており、その一方が正面とされ、他方が背面とされている。
【００３２】
図２（ａ），（ｂ）、図３に示すように、火袋１４の内部空間には、通電により点灯する点灯部２１が収納されている。火袋１４の側面部には、光透過性を有する光透過部が含まれており、点灯部２１の点灯に伴って火袋１４に明かりが灯された場合には、点灯部２１の光が光透過部を通じて火袋１４の外側に放出される。なお、電子灯籠１０の外周部においては、火袋１４の光透過部を除いて、光透過性を有していない。
【００３３】
火袋１４は、その内部空間を下方に向けて開放した開放部１４ａを有しており、その開放部１４ａが中台１３により下方から塞がれている。中台１３の上面には、下方に向けて凹んだ凹部１３ａが設けられており、火袋１４は、その側面部の下端を凹部１３ａ内に入り込ませた状態で中台１３の上に載せられている。ここで、凹部１３ａの周縁部は、中台１３の周縁部に沿って延びており、火袋１４の下端部が凹部１３ａ内に嵌合されている。
【００３４】
点灯部２１には、その点灯部２１に電力を供給するための電気配線２３が接続されている。中台１３及び竿１２には、火袋１４の内部空間に通じている配線通路２４が設けられており、電気配線２３は配線通路２４を通じて点灯部２１から下方に向けて延びている。配線通路２４は、中台１３及び竿１２を上下方向に貫通しており、それら中台１３及び竿１２の各中心線に沿って延びている。
【００３５】
点灯部２１は、点灯回路等が付与された基板３１と、その基板３１に搭載されたＬＥＤ３２，３３とを有している。基板３１は、平面視矩形状に形成されており、その板面が中台１３の上面に対向する向きで設けられている。ＬＥＤ３２，３３は、基板３１の点灯回路等が駆動することで発光する発光体であり、それぞれのリード線が上方に向けて延びていることで基板３１の上側に配置されている。ＬＥＤ３２，３３は、高さ寸法が互いに同じにされており、それぞれのリード線の長さ寸法が異なることで、設置された高さ位置が異なっている。また、ＬＥＤ３２，３３を電灯と称することもできる。
【００３６】
ＬＥＤ３２，３３のうち、上側ＬＥＤ３２は下側ＬＥＤ３３よりも高い位置に配置されており、これら上側ＬＥＤ３２及び下側ＬＥＤ３３は、電子灯籠１０の幅方向に沿って１つずつ並べられている。上側ＬＥＤ３２の下端は、下側ＬＥＤ３３の上端よりも高い位置に配置されており、それによって、これらＬＥＤ３２，３３のうち一方は他方に遮られることなく火袋１４から四方（３６０度）に向けて放出されることになる。ここで、点灯部２１が点灯している場合、基板３１の点灯回路等は、下側ＬＥＤ３３を炎のゆらぎを模したゆらぎ状態で発光させている一方で、上側ＬＥＤ３２を炎のゆらぎを模さない非ゆらぎ状態で発光させている。これにより、上側ＬＥＤ３２の発光により火袋１４の明るさを確保できる一方で、下側ＬＥＤ３３のゆらぎにより本物の炎が燃えている雰囲気を醸し出すことができる。
【００３７】
なお、ゆらぎ状態で発光している下側ＬＥＤ３３においては、人が認識できる程度に明るさ（照度）が炎のように不規則に変動している。一方、非ゆらぎ状態で発光している上側ＬＥＤ３２においては、明るさが所定値（許容範囲内）に保たれており、炎のような大きな変動はしていない。
【００３８】
中台１３の上面には、上方に向けて突出している突出部３４が設けられており、その突出部３４の上に基板３１が設置されている。この場合、点灯部２１が突出部３４により支持されていることになる。突出部３４は、配線通路２４の周縁部に沿って複数並べられており、各突出部３４の高さ寸法は、凹部１３ａの凹み寸法と同じ又はそれよりも若干小さくされている。この場合、突出部３４の上端面は、中台１３における凹部１３ａではない部分の上端面と同じ高さ位置又はそれよりも若干低い位置に配置されている。
【００３９】
基板３１は、複数の突出部３４に掛け渡された状態になっている。この場合、基板３１は、中台１３の上面から上方に離間した位置に配置されており、基板３１の点灯回路等が中台１３の上面に接触するということがない。このため、中台１３との接触によって基板３１の回路が適正に動作しなくなるということを抑制できる。また、基板３１は、凹部１３ａの側面部から凹部内側に離間している。
【００４０】
なお、突出部３４の高さ寸法が凹部１３ａの凹み寸法より小さい場合、基板３１の少なくとも一部が凹部１３ａ内に配置されることになるが、火袋１４の下端部が凹部１３ａ内に入り込んだ状態になっているため、基板３１は火袋１４の内部空間に収納されていることになる。
【００４１】
複数の突出部３４には、基板３１が固定されている固定突出部３４ａが含まれている。固定突出部３４ａは、配線通路２４の中心線を挟んで一対設けられており、基板３１において対角線上に配置された一対の角部分を固定している。固定突出部３４ａは、その上端面から上方に向けて突起した突起３５を有しており、その突起３５が基板３１の角部分に接続されている。突起３５は、基板３１の角部分を上方に向けて貫通した状態で、その上端部分が基板３１の上面に対して溶着されている。
【００４２】
基板３１は、配線通路２４と上下に重なった位置に配置されており、その配線通路２４を上方から覆った状態になっている。この場合、基板３１は、配線通路２４が基板３１よりも側方にはみ出さない大きさ及び形状とされており、それによって、ＬＥＤ３２，３３の光が配線通路２４に直接進入するということが生じにくくなっている。また、基板３１と中台１３との離間距離は、ＬＥＤ３２，３３の光が火袋１４の内周面や中台１３の上面に反射しても配線通路２４に進入しにくい大きさに設定されている。したがって、基板３１は、ＬＥＤ３２，３３の光が配線通路２４に進入することを規制する状態で設置されている。
【００４３】
電気配線２３は、基板３１の下面に接続されており、その接続部分は、配線通路２４の上方位置に配置されている。このため、電気配線２３は、基板３１から真下に向けて延びていることで配線通路２４に引き込まれている。
【００４４】
点灯部２１は、リモコン等の操作装置Ｓ（図１参照）により遠隔操作されることで点灯及び消灯することが可能になっている。操作装置Ｓは、点灯部２１を点灯させるためのＯＮボタンＳ１と、点灯部２１を消灯させるためのＯＦＦボタンＳ２と、それらボタンＳ１，Ｓ２の操作状態に応じて遠隔信号を出力する信号出力部Ｓ３とを有しており、受信部３７との無線通信が可能になっている。なお、操作装置Ｓは、赤外線や電波等により遠隔信号を出力するものであり、その遠隔信号は、棚板Ｋを形成する木材を通過しにくいものである。
【００４５】
火袋１４内には、点灯部２１に加えて、操作装置Ｓからの遠隔信号を受信する受信部３７が収納されている。受信部３７は、基板３１の上面に搭載されており、基板３１は、受信部３７が操作信号を受信した場合に、その操作信号に合わせてＬＥＤ３２，３３の点灯及び消灯を行う。受信部３７は、電子灯籠１０の奥行き方向においてＬＥＤ３２，３３の奥側に設けられている。これにより、ＬＥＤ３２，３３が発光した場合に、電子灯籠１０の正面側において火袋１４に受信部３７の影が映りにくくなっている。また、受信部３７の上端部は、下側ＬＥＤ３３の下端部よりも低い位置に配置されている。これにより、受信部３７がＬＥＤ３２，３３の光を遮ってしまうということが生じにくくなっている。
【００４６】
受信部３７は、駆動ＩＣ３８を介して基板３１の上に設置されている。駆動ＩＣ３８は、受信部３７が受信した遠隔信号に基づいて基板３１の点灯回路等を駆動させる駆動回路を有しており、この駆動回路が動作することでＬＥＤ３２，３３が点灯／消灯する。駆動ＩＣ３８は直方体形状に形成されており、駆動ＩＣ３８の上面に受信部３７が載せられている。
【００４７】
電子灯籠１０は、点灯部２１への通電が可能な電源電池４１を基礎１１に収納している。基礎１１は内部空間を有しており、その内部空間に電源電池４１が収納されている。基礎１１は、竿１２よりも側方に張り出した張り出し部を有しており、その張り出し部の内部空間が電源電池４１の収納スペースになっている。基礎１１は、下方に開放された箱形状の基礎本体１１ａと、基礎本体１１ａの開放側を下方から閉鎖しているフタ部１１ｂとを有しており、電源電池４１は基礎本体１１ａの内部に設置されている。
【００４８】
基礎本体１１ａは、電源電池４１の保持が可能な電池保持部４２を有しており、電池保持部４２は、基礎１１の張り出し部に配置されている。基礎１１においては、基礎本体１１ａからフタ部１１ｂを取り外した状態で、電池保持部４２に対する電源電池４１の着脱が可能になっている。電池保持部４２には、配線通路２４を介して基礎本体１１ａ内に引き出された電気配線２３が接続されており、電源電池４１が電池保持部４２に装着されることでその電源電池４１が電気配線２３に電気的に接続される。
【００４９】
電子灯籠１０は、電源電池４１から点灯部２１への電力供給を行う電気経路を遮断することが可能なスイッチ４３を有している。スイッチ４３は、ＯＮ状態及びＯＦＦ状態に切替可能とされた押しボタンスイッチであり、スイッチ４３がＯＮ状態にある場合に電源電池４１から基板３１への電力供給が行われ、ＯＦＦ状態にある場合に電源電池４１から基板３１への電力供給が遮断される。
【００５０】
スイッチ４３は、基礎１１に取り付けられている。基礎１１は、スイッチ４３を保持するスイッチ保持部４４を有している。スイッチ保持部４４は、基礎１１の側面部に設けられた貫通孔４５を有しており、スイッチ４３は、状態移行が可能な操作部を基礎１１の外側に露出させ且つ貫通孔４５に挿通された状態で保持されている。ここで、基礎本体１１ａの側面部には、その下端から上方に向けて延びている切欠部４６が設けられており、その切欠部４６の下方開放部分がフタ部１１ｂにより塞がれることで貫通孔４５が形成されている。
【００５１】
電池保持部４２は、スイッチ４３を挟んで両側に一対設けられている。ここで、スイッチ４３は、電子灯籠１０の背面に配置されており、一対の電池保持部４２は、電子灯籠１０の幅方向に沿って並べられている。各電池保持部４２は、電子灯籠１０の幅方向において基礎１１の端部寄りの位置に電源電池４１を配置するとともに、電源電池４１を基礎１１の下端寄りの位置に配置している。この場合、電源電池４１が基礎１１の中央寄りの位置に配置されている構成や、電源電池４１が基礎１１の下端から上方に離間した高い位置に配置されている構成に比べて、電子灯籠１０が倒れにくくなっている。
【００５２】
スイッチ４３は、スイッチ保持部４４に対して着脱可能になっている。スイッチ４３の着脱手順としては、基礎本体１１ａからフタ部１１ｂを取り外し、スイッチ４３を切欠部４６に下方開放部分から入り込ませ、その状態で基礎本体１１ａにフタ部１１ｂを取り付けることで、スイッチ４３を貫通孔４５（スイッチ保持部４４）に装着することができる。また、基礎本体１１ａからフタ部１１ｂを取り外すことで、スイッチ４３を切欠部４６（スイッチ保持部４４）から取り外すことが可能になる。
【００５３】
電子灯籠１０においては、電源電池４１に代えて商用電源等の外部電源を点灯部２１の通電経路に接続した場合でも、点灯部２１を点灯させることが可能である。この場合、貫通孔４５からスイッチ４３を取り外すことで、その貫通孔４５を、外部電源に接続された外部配線を基礎１１内に引き込むための引き込み口として使用することができる。これにより、専用の引き込み口を電子灯籠１０に形成しなくても、外部配線を電子灯籠１０内に引き込むことができる。
【００５４】
以上詳述した本実施形態によれば、以下の優れた効果が得られる。
【００５５】
電子灯籠１０が受信部３７を有しているため、神棚という高い位置に電子灯籠１０が設置されている場合でも、その電子灯籠１０の点灯／消灯を遠隔操作により容易に行うことができる。しかも、受信部３７が点灯部２１と共に火袋１４内に収納されているため、電子灯籠１０が神棚の棚板Ｋの上に設置された場合に、操作装置Ｓから送信された遠隔信号が棚板Ｋにより遮られるということを抑制できる。これは、電子灯籠１０が、点灯部２１により火袋１４に灯された明かりが神棚の下方から見える位置に設置されると考えられるためである。また、例えば受信部３７が笠１５に取り付けられた場合に比べて、受信部３７により電子灯籠１０の見栄えが損なわれるということを抑制できる。
【００５６】
以上により、神棚に設置される電子灯籠１０において、容易に点灯／消灯できる構成を実現しつつ、その構成による意匠性の低下を抑制することができる。
【００５７】
受信部３７がＬＥＤ３２，３３と共に基板３１に取り付けられているため、ＬＥＤ３２，３３及び受信部３７を有する電気回路を簡易に実現できる。また、受信部３７の取付対象を専用部品として火袋１４内に設ける必要がないため、受信部３７を火袋１４内に設置する上でコスト負担が増加することや、専用部品の影が火袋１４の側面部に映ってしまうことを抑制できる。
【００５８】
受信部３７は、ＬＥＤ３２，３３よりも低い位置に配置されているため、神棚に向けて操作装置Ｓから斜め上方に出力された遠隔信号がＬＥＤ３２，３３により遮られて受信部３７に届きにくくなるということを抑制できる。その一方で、受信部３７は、駆動ＩＣ３８の上に載せられていることで基板３１から上方に離間しているため、遠隔信号が斜め下方から送信された状況でも、受信部３７が基板３１の上面に直接載せられた構成に比べて、遠隔信号が基板３１により遮られにくい構成を実現できている。
【００５９】
配線通路２４を通じて上方に向けて延びている電気配線２３が基板３１の下面に接続されているため、電気配線２３を基板３１の上側に敷設する必要がない。このため、電気配線２３の影が火袋１４の側面部に映ってしまうということを抑制できる。
【００６０】
ＬＥＤ３２，３３の光が配線通路２４に進入することが基板３１により規制されているため、火袋１４と竿１２との接続部分や、竿１２と基礎１１との接続部分、基礎本体１１ａとフタ部１１ｂとの境界部分などを通じて、ＬＥＤ３２，３３の光が電子灯籠１０の外側に漏れることを抑制できる。しかも、配線通路２４への光の進入を規制する専用部材を設ける必要がないため、光の漏れを抑制する上でコスト負担を低減できる。
【００６１】
点灯部２１においては、上側ＬＥＤ３２が非ゆらぎ状態で発光し、下側ＬＥＤ３３がゆらぎ状態で発光するため、これらＬＥＤ３２，３３が両方ともゆらぎ状態で発光する構成とは異なり、ＬＥＤ３２，３３の発光が弱くなったタイミングが一致して点灯部２１が極端に暗くなるということを回避できる。換言すれば、点灯部２１により火袋１４に灯される明かりについて、最低限の明るさを常に確保することができる。
【００６２】
上側ＬＥＤ３２と下側ＬＥＤ３３とで高さ位置が異なるため、電子灯籠１０を下方から見た場合はもちろんのこと、水平方向における四方のどの角度から見た場合でも下側ＬＥＤ３３が上側ＬＥＤ３２の後に隠れない。このため、下側ＬＥＤ３３の発光のゆらぎの雰囲気をユーザが感じやすい。しかも、上側ＬＥＤ３２がリード線により支持されているため、そのリード線が下側ＬＥＤ３３の真横に配置されていても、下側ＬＥＤ３３の光が上側ＬＥＤ３２のリード線により遮られる量が少なく、そのリード線の影が火袋１４の側面部に映るということを抑制できる。
【００６３】
火袋１４内に、上側ＬＥＤ３２及び下側ＬＥＤ３３を１つずつ収納されているため、これらＬＥＤ３２，３３の少なくとも一方が複数収納されている構成とは異なり、上側ＬＥＤ３２同士や下側ＬＥＤ３３同士の光によりそれらＬＥＤ３２，３３の影が火袋１４の側面部に映るということを回避できる。例えば、下側ＬＥＤ３３が横並びに２つ設けられている場合、一方の光により他方の影が火袋１４の側面部に映ることが懸念される。
【００６４】
電源電池４１が基礎１１という電子灯籠１０の最下部に配置されているため、電子灯籠１０の安定性を高めることができる。また、安定性を高めるための重り部材として電源電池を利用しているため、重り部材として専用部材を用いる必要がなく、電源電池４１及び専用部材の両方を用いる構成に比べてコスト負担を低減できる。
【００６５】
基礎１１において、竿１２よりも側方に張り出した張り出し部に電源電池４１が収納されているため、竿１２の真下に電源電池４１が収納されている構成に比べて、電子灯籠１０の安定性を増すことができる。しかも、電源電池４１がスイッチ４３を挟んで一対収納されているため、電子灯籠１０が電源電池４１の並び方向に向けて倒れるということをより確実に抑制できる。
【００６６】
ここで、電子灯籠１０が神棚の上に設置されている場合、電子灯籠１０が倒れることは神棚からの落下に直結しやすいため、電子灯籠１０の破損防止の観点及び安全上の観点の両方からして電子灯籠１０は倒れにくい構成になっていることが好ましい。特に、竿１２を有している電子灯籠１０は、竿１２を有していない電子灯籠１０に比べて幅方向や奥行き方向に対する高さ寸法の比率が大きいため、安定性を高めることが好ましい。
【００６７】
電源電池４１が電池保持部４２に装着されているため、電源電池４１に代えて重り部材を電池保持部４２に装着することが可能になっている。したがって、例えば電源電池４１に代えて外部電源が点灯部２１の通電経路に接続された場合に、基礎１１に対する重り部材の取り付けが容易になっている。
【００６８】
（他の実施形態）
本発明は上記実施形態の記載内容に限定されず、例えば次のように実施してもよい。
【００６９】
（１）上側ＬＥＤ３２と下側ＬＥＤ３３とは、電子灯籠１０の幅方向ではなく、奥行き方向に沿って並べられていてもよい。また、ＬＥＤ３２，３３と受信部３７とは、電子灯籠１０の奥行き方向ではなく、幅方向に沿って並べられていてもよい。
【００７０】
（２）下側ＬＥＤ３３の下端部が上側ＬＥＤ３２の下端部より低い位置に配置されていれば、下側ＬＥＤ３３の上端部は上側ＬＥＤ３２の下端部より高い位置に配置されていてもよい。つまり、下側ＬＥＤ３３と上側ＬＥＤ３２とで一部が水平方向に重なる位置に配置されていてもよい。この場合でも、下側ＬＥＤ３３の下端部から発した光は、上側ＬＥＤ３２により遮られることなく火袋１４から四方に向けて放出される。
【００７１】
（３）点灯部２１の全てが火袋１４内に設置されているのではなく、点灯部２１の一部が火袋１４内に設置されていてもよい。例えば、基板３１が配線通路２４内に設置され、ＬＥＤ３２，３３が火袋１４内に設置された構成とする。この構成でも、点灯部２１は火袋１４の内部空間に収納され、点灯することで火袋１４に明かりを灯すことができる。
【００７２】
（４）点灯部２１は、下側ＬＥＤ３３のようなゆらぎ状態で発光する発光体を有していなくてもよく、上側ＬＥＤ３２のような非ゆらぎ状態で発光する発光体を有していなくてもよい。また、１つの発光体がゆらぎ状態及び非ゆらぎ状態の両方にて発光することが可能な構成とされていてもよい。
【００７３】
（５）点灯部２１は、電灯として電球を有していてもよい。例えば、配線通路２４に上方からソケットが入り込んだ状態で設けられ、そのソケットに上方から電球がねじ込まれた構成とする。この構成では、ソケットに電気配線２３が接続されており、受信部３７は、例えば笠１５の下面に取り付けられていることで火袋１４内に収納されている。この構成でも、電球の点灯／消灯を操作装置Ｓにより遠隔操作することが可能になっている。
【００７４】
（６）基板３１は、中台１３の上面（凹部１３ａの底面）の上に載置されていてもよい。つまり、基板３１の下面と中台１３の上面とが重ねられていてもよい。また、ＬＥＤ３２，３３の光が配線通路２４内に進入することを基板３１により規制できるのであれば、配線通路２４が基板３１よりも側方にはみ出していてもよく、突出部３４の突出寸法が凹部１３ａの凹み寸法より大きくされていてもよい。要は、ＬＥＤ３２，３３が基板３１の上側に配置された電子灯籠１０において、それらＬＥＤ３２，３３の光が火袋１４の内周面などに反射しても基板３１の下側に回り込みにくい構成が実現されていればよい。
【００７５】
（７）一対の電池保持部４２は、電子灯籠１０の幅方向ではなく奥行き方向に沿って並べられていてもよい。また、スイッチ保持部４４は、電子灯籠１０の背面ではなく前面に配置されていてもよく、側面に配置されていてもよい。特に、一対の電池保持部４２が電子灯籠１０の奥行き方向に沿って並べられた構成においては、スイッチ保持部４４が電子灯籠１０の側面に配置されていることが好ましい。
【符号の説明】
【００７６】
１０…神棚用灯籠としての電子灯籠、１１…基礎、１２…竿、１３…中台、１４…火袋、２１…点灯部、２３…電気配線、２４…配線通路、３１…基板、３２…上側発光体としての上側ＬＥＤ、３３…下側発光体としての下側ＬＥＤ、３４…突出部、３７…受信部、４１…電源電池、４２…電池保持部、４３…スイッチ、４４…スイッチ保持部、４５…貫通孔、Ｓ…操作装置。
【図１】
2015022962.tif 000003
【図２】
2015022962.tif 000004
【図３】
2015022962.tif 000005